(57)【要約】【課題】はがれやずれを軽減し、施術を容易にするエクステンション用人工まつげを提供すること。【解決手段】  使用者１１０のまつげ１１０ａに接着するエクステンション用人工まつげ（エクステンション１００）であって、エクステンション１００は、使用者１１０のまつげ１１０ａの一部を包むためのくぼみ部分１００ａを有する。エクステンション１００に接着剤１２０を塗布し、エクステンション１００のくぼみ部分１００ａにまつげ１１０ａを密着させながらまつげ１１０ａにエクステンション１００を接着する。【選択図】図２
2010024579.tif 000002
【特許請求の範囲】
【請求項１】
使用者のまつげに接着するエクステンション用人工まつげであって、
前記エクステンション用人工まつげは、使用者のまつげの一部を包むためのくぼみ部分を有することを特徴とするエクステンション用人工まつげ。
【請求項２】
前記くぼみ部分の長手方向に垂直ないずれの断面においても、当該くぼみ部分は使用者のまつげの１／４以上を覆うことを特徴とする請求項１に記載されたエクステンション用人工まつげ。
【請求項３】
前記くぼみ部分は、使用者のまつげの表面形状の一部に対してほぼ同形状の凹みを有することを特徴とする請求項１又は２のいずれかに記載されたエクステンション用人工まつげ。
【請求項４】
前記エクステンション用人工まつげは、使用者のまつげを前記くぼみ部分に挿入した状態にて接着剤を用いて使用者のまつげに接着されることを特徴とする請求項１〜３のいずれかに記載されたエクステンション用人工まつげ。
【発明の詳細な説明】
【技術分野】
【０００１】
本発明は、使用者のまつげに接着するエクステンション用人工まつげに関する。
【背景技術】
【０００２】
昨今を問わず、主に女性や美容業界では、まつげに長さやボリュームを与え、より大きく、美しく、魅力的な目元を演出したいと願っている。その要求を満たすためのアイテムの一つとしてつけまつげがある。つけまつげは、複数本の人工まつげを一纏めにして、その末端に接着部を設け、その接着部を使用者のまぶたに付けることにより、使用者のまつげに長さやボリュームを与える（たとえば、特許文献１を参照）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた、いわゆる、エクステンションと呼ばれる人工まつげが提案されている。図６（ａ）に示した従来型のエクステンション９００は、まぶた９０５に接着せず、接着剤９１０を用いてまつげ９１５に直接接着するため、装着感がよく、皮膚がかぶれるおそれが少ない。また、エクステンション９００は、まつげ一本に対して一本接着する。よって、付けまつげに比べて自然な感じでまつげに長さやボリュームを与えることができる。また、一度装着すればクレンジングや洗顔時に取れることなく、２週間程度装着し続けることができる。
【０００４】
【特許文献１】特開２００５−１４６５００号公報
【発明の開示】
【発明が解決しようとする課題】
【０００５】
しかしながら、これまでのエクステンション９００は、まつげ９１５とほぼ同じ棒状形状であるため、図６（ａ）の２−２断面である図６（ｂ）に示したように、エクステンション９００の断面とまつげ９１５の断面はほぼ円形となり、接着剤９００にて接着してもまつげ９１５とエクステンション９００との接着面積が小さく密着性が悪い。このため、図６（ａ）のように特にエクステンション９００の末端（まぶた側）が、まつげ９１５から剥がれやすい。また、図６（ｃ）に示したように、まつげ９１５とエクステンション９００とのずれも生じやすい。また、このような剥がれやずれがあると、接着面積が更に小さくなるため、クレンジングや洗顔時の物理的刺激に耐えられず、エクステンション９００がまつげ９１５から脱落する可能性が高くなり、見た目も不自然になり、目元の美しさが半減する。
【０００６】
また、施術時には、まつげの一本一本に剥がれやずれを生じさせることなく、片目５０本ずつ、両目で１００本程度のエクステンション９００を素早く接着していくためには、施術者に高い技術力が求められる。
【０００７】
そこで、本発明は、上記問題に鑑みてなされたものであり、本発明は、はがれやずれを軽減し、施術を容易にするエクステンションを提供する。
【課題を解決するための手段】
【０００８】
上記課題を解決するために、本発明のある観点によれば、使用者のまつげに接着するエクステンション用人工まつげであって、前記エクステンション用人工まつげは、使用者のまつげの一部を包むためのくぼみ部分を有することを特徴とするエクステンション用人工まつげが提供される。
【０００９】
これによれば、エクステンション用人工まつげには、使用者のまつげの一部を包むためのくぼみ部分が設けられている。これにより、エクステンション用人工まつげのくぼみ部分にて使用者のまつげの一部を覆いながらエクステンション用人工まつげを使用者のまつげに接着することができる。この結果、従来型のエクステンション用人工まつげに比べてエクステンション用人工まつげと使用者のまつげとの接着面積を大きくすることができ、エクステンション用人工まつげの剥がれやずれを防止することができる。これにより、施術者の技量の高低を問題とすることなく仕上がりよくエクステンション用人工まつげを実際のまつげに接着することができるとともに、施術時間を短縮できる。また、エクステンション用人工まつげがまつげにしっかりと接着されているため、自然な印象でまつげに長さやボリュームを与えながら、一度装着すれば美しいまつげの状態を最長で使用者のまつげが抜けるまで持続させることができる。
【００１０】
前記くぼみ部分の長手方向に垂直ないずれの断面においても、当該くぼみ部分は使用者のまつげの１／４以上を覆っていてもよい。これによれば、くぼみ部分では、使用者のまつげの表面積の約１／４がエクステンション用人工まつげと密着して接着される。これにより、エクステンション用人工まつげの剥がれやずれを効果的に防止することができる。
【００１１】
前記くぼみ部分は、使用者のまつげの表面形状の一部に対してほぼ同形状の凹みを有していてもよい。これによれば、使用者のまつげをエクステンション用人工まつげのくぼみ部分にぴたりと当てはめながら接着させることができる。これにより、まつげからエクステンション用人工まつげが剥がれたり、ずれたりすることをより確実に回避し、エクステンション用人工まつげを施した美しいまつげの状態をその美しさが崩れることなく長く持続させることができる。
【００１２】
前記エクステンション用人工まつげは、使用者のまつげを前記くぼみ部分に挿入した状態にて接着剤を用いて使用者のまつげに接着されてもよい。これによれば、使用者のまつげ一本に一つのエクステンション用人工まつげのくぼみ部分が装着された状態でエクステンション用人工まつげが使用者のまつげに接着される。これにより、エクステンション用人工まつげと使用者のまつげとの密着性をより高め、エクステンション用人工まつげの装着後の寿命を長く持続させることができる。
【００１３】
また、上記課題を解決するために、本発明の別の観点によれば、くぼみ部分を有するエクステンション用人工まつげに接着剤を塗布し、前記接着剤を塗布されたエクステンション用人工まつげのくぼみ部分に使用者のまつげを密着させながら使用者のまつげに前記エクステンション用人工まつげを接着することを特徴とするエクステンション用人工まつげの施術方法が提供される。
【００１４】
これによれば、エクステンション用人工まつげのくぼみ部分に使用者のまつげを密着させながらエクステンション用人工まつげが使用者のまつげに接着される。これにより、エクステンション用人工まつげと使用者のまつげとの接着面積を大きくすることができ、エクステンション用人工まつげの剥がれやずれを防止することができる。これにより、施術者の技量の高低を問題とすることなく仕上がりよくエクステンション用人工まつげを実際のまつげに接着することができる。
【発明の効果】
【００１５】
以上説明したように、本発明によれば、エクステンション用人工まつげのはがれやずれを軽減し、エクステンション用人工まつげの施術を容易にすることができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
まず、本発明の一実施形態に係るエクステンション用人工まつげの構成について、図１及び図２を参照しながら説明する。以下の説明では、エクステンション用人工まつげをエクステンションとも称呼する。
【００１８】
（エクステンションの構成）
図１は、エクステンション１００を使用者１１０のまつげ１１０ａに施した目元のイメージ図である。エクステンション１００は、まつげ一本に対して直接一本接着される。たとえば、片目で３０本〜５０本、両目で合計６０本〜１００本のエクステンション１００がそれぞれのまつげに直接接着されている。よって、付けまつげに比べて自然な感じでまつげ１１０ａに長さやボリュームを与えることができる。また、本実施形態に係るエクステンション１００によれば、後述する理由により、一度装着すればクレンジングや洗顔時に取れることなく、たとえば、１ヶ月以上装着され続け、朝の忙しい時間にも手間が掛からずに目元の美しさを持続させることができる。なお、エクステンション１００は、上側のまつげ１１０ａだけでなく、下側のまつげ１１０ａに付けられていてもよい。
【００１９】
図２（ａ）は、エクステンション１００の側面図、図２（ｂ）は、エクステンション１００の斜視図、図２（ｃ）は、図２（ａ）の１−１断面図である。図２（ａ）を見ると、エクステンション１００は、長手方向に１４ｍｍの長さを有し、先端が細くなっている。エクステンション１００は、末端から先端に向かって上方に緩やかにカールしている。エクステンション１００は、ナイロンにより形成されている。
【００２０】
図２（ｂ）に示したように、エクステンション１００には断面がＣ字状のくぼみ部分１００ａが設けられている。くぼみ部分１００ａは、長手方向に沿ってエクステンション１００のほぼ先端まで開口している。具体的には、図２（ｃ）に示したように、エクステンション１００は、内径がほぼ０．１ｍｍ、外径がほぼ０．２ｍｍ、厚みが０．０５ｍｍの環状チューブを半分に割って先端を細くした形状をしている。ただし、エクステンション１００の厚みは、これに限られず、０．０２ｍｍ〜０．０３ｍｍ程度に薄くしてもよく、０．０５ｍｍ以上に厚くしてもよい。
【００２１】
図２（ｃ）を見ると明らかなように、くぼみ部分１００ａは、使用者のまつげ１１０ａの下半分の表面形状に対してほぼ同一形状の凹みを有している。よって、エクステンション１００は、まつげ１１０ａの長手方向の下半分がその凹みに嵌め込まれる状態で接着剤１２０によりまつげ１１０ａにぴたりと接着される。
【００２２】
これによれば、従来型のくぼみのない棒状のエクステンションに比べてエクステンション１００とまつげ１１０ａとの接着面積Ａを大きくすることができる。これにより、まつげ１１０ａからエクステンション１００が剥がれたり、ずれたりすることを確実に回避し、より自然な仕上がりでまつげ１１０ａに長さやボリュームを与えることができる。また、エクステンション１００がまつげ１１０ａにしっかりと接着されているため、最長で使用者のまつげ１１０ａが抜けるまで、エクステンション１００をまつげに装着し続けることができる。
【００２３】
再び、図２（ａ）を見ると、エクステンション１００は、まつげ１１０ａの末端（まぶた側）から１ｍｍ離れて接着剤１２０によりまつげ１１０ａの下側に接着される。接着剤１２０が皮膚と接触しないので皮膚に刺激を与えない。また、実際のまつげ１１０ａの長さ１０ｍｍに対してエクステンション１００を装着すると、そのまつげの長さは１５ｍｍと長くなる。また、まつげ１１０ａの下側にエクステンション１００を接着することにより、まつげ１１０ａをまぶたの上方側に持ち上げながら、カールさせることができるので、目元をよりぱっちり、大きく見せることができる。
【００２４】
接着剤１２０は、一般的に、グルーと呼ばれ、医療用アロンアルファー（登録商標）などとほぼ同じ組成を有し、粘性があり、速乾性がある。エクステンション１００の色は黒、茶、ブルー、パープル等、好きな色を選ぶことができる。接着剤１２０も同様に、黒、茶、ブルー、パープル等、好きな色を選ぶことができる。これによれば、エクステンション１００と接着剤１２０によりまつげ１１０ａに実際のまつげの１．５倍の長さと２倍上のボリュームを与えることができる。
【００２５】
なお、エクステンション１００の長さ、太さ、接着位置は、これに限られない。たとえば、エクステンション１００の接着位置は、まつげ１１０ａの上部であっても、側部であってもよいが、その場合には、カールする方向とくぼみ部分１００ａとの対応を考慮する必要がある。
【００２６】
（施術方法）
つぎに、本実施形態に係るエクステンション１００の施術方法について、図３を参照しながら説明する。施術者は、まず、図３（ａ）に示したように、接着剤１２０を専用シート上に出す。施術者は、エクステンション１００のくぼみ部分１００ａを上方に向けてエクステンション１００の先端近傍をピンセットでつまむ。次に、施術者は、図３（ｂ）に示したように、くぼみ部分１００ａを上方に向けたままエクステンション１００を接着剤１２０の中に入れる。
【００２７】
次に、施術者は、図３（ｃ）に示したように、くぼみ部分１００ａを中心として接着剤１２０が塗布されたエクステンション１００をまつげ１１０ａに接着させる。このとき、くぼみ部分１００ａの凹み形状は、まつげ１１０ａの外形とほぼ同じである。そこで、施術者は、まつげ１１０ａの下方からくぼみ部分１００ａをまつげ１１０ａの下部にあてがう。そして、図３（ｄ）に示したように、施術者は、まつげ１１０ａがくぼみ部分１００ａに挿入されるようにしながら、接着剤１２０によりエクステンション１００をまつげ１１０ａにしっかりと接着させる。このとき、施術者は、エクステンション１００のカールを活かして、まつげ１１０ａを上方に持ち上げながらエクステンション１００に接着させる。また、施術者は、エクステンション１００の末端側が剥がれやすいので、最後にエクステンション１００の末端近傍を外側からまつげ１１０ａ側に向かってそっと押圧し、エクステンション１００とまつげ１１０ａとの密着性を高める。施術者は、この作業を片目３０〜５０本、両目で６０〜１００本程度繰り返す。
【００２８】
以上に説明したように、本実施形態に係るエクステンション１００には、くぼみ部分１００ａが設けられていて、そのくぼみ部分１００ａにまつげ１１０ａを挿入した状態でまつげ１１０ａにエクステンション１００を直接接着される。これによれば、くぼみ部分１００ａでは、使用者のまつげ１１０ａの表面の下半分がエクステンション１００にて覆われる。この結果、従来型のエクステンションに比べてエクステンション１００と使用者のまつげ１１０ａとの接着面積Ａを大きくすることができ、エクステンション１００に剥がれやずれが生じることを防止できる。これにより、施術者の技量の高低を問題とすることなく仕上がりよくエクステンション１００を実際のまつげ１１０ａに接着することができるとともに、施術時間を短縮できる。また、エクステンション１００がまつげにしっかりと接着されているため、自然な仕上がりでまつげ１１０ａに長さやボリュームを与え、また、一度装着すれば美しいまつげの状態を最長で使用者のまつげが抜けるまで持続させることができる。
【００２９】
特に、前述したように、くぼみ部分１００ａは、まつげ１１０ａの表面形状の一部に対してほぼ同形状の凹みを有しているため、まつげ１１０ａをくぼみ部分１００ａにぴたりと当てはめながら接着させることができる。これにより、まつげ１１０ａからエクステンション１００が剥がれたり、ずれたりすることをより確実に回避し、エクステンション１００を施した美しいまつげを長く持続させることができる。
【００３０】
（接着面積）
くぼみ部分１００ａの長手方向に垂直ないずれの断面においても、くぼみ部分１００ａは使用者のまつげ１１０ａの１／４以上を覆う。図４には、まつげ１１０ａとエクステンション１００とを接着した状態の断面が示されている。たとえば、図４（ａ）〜（ｃ）に示したように、まつげ１１０ａとエクステンション１００との接着面積Ａは、くぼみ部分１００ａの長手方向に垂直ないずれの断面においても、使用者のまつげ１１０ａの１／４以上となっている。たとえば、図４（ａ）では、使用者のまつげ１１０ａの１／４、図４（ｂ）では、使用者のまつげ１１０ａの３／４がエクステンション１００のくぼみ部分１００ａにて覆われている。このようにして、本実施形態に係るエクステンション１００では、施術者の技量にかかわらず、エクステンション１００の剥がれやずれを効果的に防止することができる。
【００３１】
なお、エクステンション１００の材質や厚さを工夫して、くぼみ部分１００ａにまつげ１１０ａを挿入することができれば、図４（ｃ）に示したように、使用者のまつげ１１０ａの表面積の３／４以上がエクステンション１００のくぼみ部分１００ａと密着して接着されるようにしてもよい。
【００３２】
（エクステンションの形状の変形例）
エクステンション１００の形状としては、いろいろな変形例が考えられる。たとえば、図４（ｄ）に示したように、エクステンション１００の基部１００ｂの外側に装飾部材１００ｃを固着させてもよい。装飾部材１００ｃは、エクステンション１００に厚みを持たせるための部材であってもよい。エクステンション１００は、図４（ｅ）のように厚さが均一でなくてもよい。
【００３３】
エクステンション１００は、図５（ａ）のように、メッシュ状であってもよい。この場合にもエクステンション１００には、まつげ１１０ａの一部を覆うくぼみ部分１００ａが設けられる。これによれば、メッシュの隙間を使ってより接着効果を上げ、エクステンション１００の剥がれやずれをより強固に防止ることができる。また、エクステンション１００を軽量化することができるため、エクステンション１００をまつげ１１０ａに装着した後のカールを長く持続させることができる。
【００３４】
また、エクステンション１００は、図５（ｂ）のように、先端が複数本に枝分かれしていてもよい。この場合にもエクステンション１００には、まつげ１１０ａの一部を覆うくぼみ部分１００ａが設けられる。これによれば、先端が複数本に分かれているのでまつげ１１０ａのボリュームアップを図ることができる。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００３６】
たとえば、エクステンション用人工まつげのくぼみ部分は、前述したように、長手方向に沿ってエクステンション１００のほぼ先端まで開口していても、その途中まで開口していてもよい。
【００３７】
また、エクステンション用人工まつげは、くぼみ部分を有さず、先端が細く内部が中空の筒状であってもよく、筒状のエクステンション用人工まつげの長手方向に切れ目が入っている形状であってもよい。
【図面の簡単な説明】
【００３８】
【図１】本発明の実施形態に係るエクステンションをまつげに施した使用者の目元のイメージ図である。
【図２】図２（ａ）は、同実施形態に係るエクステンションの側面図、図２（ｂ）は、同実施形態に係るエクステンションの斜視図、図２（ｃ）は、図２（ａ）の１−１断面図である。
【図３】同実施形態に係るエクステンションの施術方法を示した図である。
【図４】エクステンションの形状の変形例を示した図である。
【図５】エクステンションの形状、材質の他の変形例を示した図である。
【図６】従来型のエクステンションを説明するための図である。
【符号の説明】
【００３９】
１００      エクステンション
１００ａ    くぼみ部分
１００ｂ    基部
１００ｃ    装飾部材
１１０      使用者
１１０ａ    まつげ
１２０      接着剤
Ａ          接着面積
【図１】
2010024579.tif 000003
【図２】
2010024579.tif 000004
【図３】
2010024579.tif 000005
【図４】
2010024579.tif 000006
【図５】
2010024579.tif 000007
【図６】
2010024579.tif 000008